(57)【要約】  【課題】多方向操作型のスイッチとロータリエンコーダとを組み合わせて一体化するとともに、ロータリエンコーダを回転操作した際に、回転位置が簡単に分かり、回転後の位置を確実に保持できる構造を得る。  【解決手段】中央スイッチと該中央スイッチを囲む円周上に配置される周辺スイッチとでなる多方向操作型スイッチと、前記中央スイッチを囲む円周上にエンコーダスイッチを配設してなるロータリエンコーダ５とを一体化した複合操作型スイッチであって、ロータリエンコーダ５が所定量回転されてディテント用の凹部２７と対応すると、一部３４ａが該凹部２７内に落ち込み係合してクリック感を付与する弾性部材を有するディテント機構を設けた。【選択図】図２
2007066637.tif 000002
【特許請求の範囲】
【請求項１】
中央スイッチと該中央スイッチを囲む円周上に配置される複数の周辺スイッチとでなる多方向操作型スイッチと、前記中央スイッチを囲む円周上にエンコーダスイッチを配設してなるロータリエンコーダとを一体化した複合操作型スイッチであって、
ベースと、
該ベース上に配置され、前記中央スイッチを形成する中央スイッチ要素と、該中央スイッチ要素の外側周囲に設けられた前記周辺スイッチを形成する複数の周辺スイッチ要素と前記エンコーダスイッチを形成するエンコーダスイッチ要素とを配設してなるフレキシブルプリント配線板と、
前記中央スイッチ要素に対応して前記フレキシブルプリント配線基板上に回転不能で、かつ、上下方向に移動可能に設けられ、さらに該上下方向の移動により前記中央スイッチ要素を押下し、前記中央スイッチの切り換えを行うキートップと、
前記周辺スイッチ及び前記エンコーダスイッチと対向して、前記キートップを囲む円周上に傾倒並びに回転可能に配置され、傾倒されると該傾倒側の前記周辺スイッチを切り換え操作し、回転されると前記ロータリエンコーダを回転させて前記エンコーダスイッチを切り換え操作するエンコーダジョグと、
前記ロータリエンコーダの外面に設けられたディテント用の凹部と、一端側が前記ベース側に取り付けられ、他端側が前記ロータリエンコーダの前記凹部を設けている外面と常にバネ接触して設けられ、前記ロータリエンコーダが所定量回転されて前記他端側が前記凹部と対応すると該他端側が該凹部内に落ち込み係合してクリック感を生成するための弾性部材とでなるディテント機構、
とを備えたことを特徴とする複合操作型スイッチ。
【請求項２】
上記弾性部材が、弾性を有する細長い線材を屈曲形成してなることを特徴とする請求項１記載の複合操作型スイッチ。
【請求項３】
上記弾性部材が、弾性を有する細長い帯状板材を屈曲形成してなり、その面状部分を上記ロータリエンコーダの外面に当接させてなることを特徴とする請求項１記載の複合操作型スイッチ。
【請求項４】
上記弾性部材が、前記ロータリエンコーダの外面上を転動する金属性の球体と、該球体を前記ロータリエンコーダの外面に圧接している板バネとでなることを特徴とする請求項１記載の複合操作型スイッチ。
【発明の詳細な説明】
【技術分野】
【０００１】
本発明は、複合操作型スイッチに関し、特に、例えば情報端末機等の機器の入力部に使用され、中央スイッチと該中央スイッチを囲む円周上に配置される複数の周辺スイッチとでなる多方向操作型スイッチとロータリエンコーダとを組み合わせて一体化した複合操作型スイッチに関するものである。
【背景技術】
【０００２】
従来、中央スイッチと該中央スイッチを囲む円周上に配置される複数の周辺スイッチとでなる多方向操作型スイッチと回転スイッチ要素とを組み合わせてなる、複合操作型スイッチは知られている(例えば、特許文献１参照)。
【０００３】
特許文献１に記載の複合操作型スイッチは、傾倒押し込み操作部材を、上下左右の、４方向の中のいずれか一方向に傾動操作すると、その傾動方向に応じて動作する４つの周辺スイッチと、該傾倒押し込み操作部材を上下いずれかの方向に押し込むと動作する中央スイッチと、該傾倒押し込み操作部材を回転させると、その回転に応じた信号を出力する回転スイッチとを備えた構造になっている。そして、回転スイッチは、レバー型スイッチング機構を用い、また周辺スイッチ及び中央スイッチとは別体化されている。
【特許文献１】特開２００１−２４３８５４号公報。
【発明の開示】
【発明が解決しようとする課題】
【０００４】
特許文献１記載の複合操作型スイッチにおける回転スイッチは、周辺スイッチ及び中央スイッチと一体化されていない。すなわち、周辺スイッチ及び中央スイッチは、各々別個に製造されて、組立時の段階で互いに連動する関係にして組み込まれる構造になっている。したがって、スイッチ部品としては２つに分かれているので、取り扱い及び組み込み作業が面倒であるという問題点があった。
【０００５】
また、従来の複合操作型スイッチでは、多方向操作型のスイッチとロータリエンコーダとを組み合わせて一体化したものはなかった。そこで、市場では、多方向操作型のスイッチとロータリエンコーダとを組み合わせて一体化したスイッチが要望されていた。この構造の場合、中央スイッチを操作するキートップと、周辺スイッチの操作及びエンコーダスイッチを操作するための、傾動並びに回動可能なエンコーダジョグ等が必要になる。
【０００６】
また、エンコーダジョグの回転でロータリエンコーダを回転させる場合、回転位置を容易に知り、また回転操作後の位置が保持できる構造にしておくことは、操作の信頼性の面から必要なことである。
【０００７】
そこで、多方向操作型のスイッチとロータリエンコーダとを組み合わせて一体化するとともに、ロータリエンコーダを回転操作した際に、回転位置が簡単に分かり、また、回転後の位置を確実に保持しておくことができる構造を得るために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、中央スイッチと該中央スイッチを囲む円周上に配置される複数の周辺スイッチとでなる多方向操作型スイッチと、前記中央スイッチを囲む円周上にエンコーダスイッチを配設してなるロータリエンコーダとを一体化した複合操作型スイッチであって、ベースと、該ベース上に配置され、前記中央スイッチを形成する中央スイッチ要素と、該中央スイッチ要素の外側周囲に設けられた前記周辺スイッチを形成する複数の周辺スイッチ要素と前記エンコーダスイッチを形成するエンコーダスイッチ要素とを配設してなるフレキシブルプリント配線板と、前記中央スイッチ要素に対応して前記フレキシブルプリント配線基板上に回転不能で、かつ、上下方向に移動可能に設けられ、さらに該上下方向の移動により前記中央スイッチ要素を押下し、前記中央スイッチの切り換えを行うキートップと、前記周辺スイッチ及び前記エンコーダスイッチと対向して、前記キートップを囲む円周上に傾倒並びに回転可能に配置され、傾倒されると該傾倒側の前記周辺スイッチを切り換え操作し、回転されると前記ロータリエンコーダを回転させて前記エンコーダスイッチを切り換え操作するエンコーダジョグと、前記ロータリエンコーダの外面に設けられたディテント用の凹部と、一端側が前記ベース側に取り付けられ、他端側が前記ロータリエンコーダの前記凹部を設けている外面と常にバネ接触して設けられ、前記ロータリエンコーダが所定量回転されて前記他端側が前記凹部と対応すると該他端側が該凹部内に落ち込み係合してクリック感を生成するための弾性部材とでなるディテント機構とを備えた複合操作型スイッチを提供する。
【０００９】
この構成によれば、多方向操作型スイッチとロータリエンコーダとが一体化されてなり、また、ディテント機構を設けているので、ローターリエンコーダが所定量回転されると、その位置でクリック感が操作者の指等に伝わり、所定量回転されたことが分かる。したがって、クリック感が得られた位置でロータリエンコーダの回転を止めると、ロータリエンコーダの回転を常に同じ位置で停止させ、かつ、その位置を保持しておくことができることになる。
【００１０】
請求項２記載の発明は、請求項１において、上記弾性部材が、弾性を有する細長い線材を屈曲形成してなる複合操作型スイッチを提供する。
【００１１】
この構成によれば、細長い線材を屈曲して、小形化された弾性部材を作ることができる。
【００１２】
請求項３記載の発明は、請求項１において、上記弾性部材が、弾性を有する細長い帯状板材を屈曲形成してなり、その面状部分を上記ロータリエンコーダの外面に当接させてなる複合操作型スイッチを提供する。
【００１３】
この構成によれば、細長い帯状板材を屈曲して、弾性部材を作ることができる。
【００１４】
請求項４記載の発明は、請求項１において、弾性部材が、前記ロータリエンコーダの外面上を転動する金属性の球体と、該球体を前記ロータリエンコーダの外面に圧接している板バネとでなる複合操作型スイッチを提供する。
【００１５】
この構成によれば、金属性の球体と板バネとを使用して、回転時にトルクの低い、滑らかな感触を得ることができる。
【発明の効果】
【００１６】
請求項１記載の発明は、多方向操作型スイッチとロータリエンコーダとが一体化されて一つのスイッチ部品として構成されているので、取り扱い及び組み込み作業が簡単になる。また、部品の一部を各部で共用することができるので、部品点数の低減が図られ、低コスト化が可能になるとともに、小型化も可能になる。さらに、ディテント機構を設けているので、ロータリエンコーダが所定量回転されると、その位置でクリック感が操作者の指等に伝わり、所定量回転されたことが分かる。したがって、クリック感が得られた位置でロータリエンコーダの回転を止めると、ロータリエンコーダの回転を常に同じ位置で停止させ、かつ、その位置を保持しておくことができるという効果が期待できる。
【００１７】
請求項２記載の発明は、細長い線材を屈曲して、小形化された弾性部材を作ることができるので、請求項１記載の発明の効果に加えて、スイッチ全体の小形化が可能になるという効果が期待できる。
【００１８】
請求項３記載の発明は、細長い帯状板材を屈曲して、弾性材を作ることができるので、請求項１記載の発明の効果に加えて、回転時におけるトルクが小さく、クリック感が滑らかで、かつ、耐久性にも優れた構造が得られる。
【００１９】
請求項４記載の発明は、金属性の球体と板バネを使用するので、請求項１記載の発明の効果に加えて、回転時にトルクの低い、滑らかな感触を得ることができるという効果が期待できる。また、金属性の球体を板バネで押さえているため、荷重の管理が容易になるという効果も期待できる。
【００２０】
請求項２記載の発明は、キートップは、内側固定リング内に配設されて回転しないように確実に保持されるので、請求項１記載の発明の効果に加えて、キートップの回転をさらに確実に抑えることができるという効果が得られる。
【００２１】
請求項３記載の発明は、操作者は、クリック感が得られた位置でロータリエンコーダの回転を止めると、ロータリエンコーダを常に同じ位置で停止させ、かつ保持しておくことができるので、請求項１または２記載の発明の効果に加えて、さらに操作性の向上と切り換え位置の信頼性が得られる。
【発明を実施するための最良の形態】
【００２２】
以下、本発明の複合操作型スイッチについて、好適な実施例をあげて説明する。多方向操作型のスイッチとロータリエンコーダとを組み合わせて一体化するとともに、ロータリエンコーダを回転操作した際、回転位置が簡単に分かり、また、回転後の位置を確実に保持しておくことができる構造を得るという目的を達成するために、中央スイッチと該中央スイッチを囲む円周上に配置される複数の周辺スイッチとでなる多方向操作型スイッチと、前記中央スイッチを囲む円周上にエンコーダスイッチを配設してなるロータリエンコーダとを一体化した複合操作型スイッチであって、ベースと、該ベース上に配置され、前記中央スイッチを形成する中央スイッチ要素と、該中央スイッチ要素の外側周囲に設けられた前記周辺スイッチを形成する複数の周辺スイッチ要素と前記エンコーダスイッチを形成するエンコーダスイッチ要素とを配設してなるフレキシブルプリント配線板と、前記中央スイッチ要素に対応して前記フレキシブルプリント配線基板上に回転不能で、かつ、上下方向に移動可能に設けられ、さらに該上下方向の移動により前記中央スイッチ要素を押下し、前記中央スイッチの切り換えを行うキートップと、前記周辺スイッチ及び前記エンコーダスイッチと対向して、前記キートップを囲む円周上に傾倒並びに回転可能に配置され、傾倒されると該傾倒側の前記周辺スイッチを切り換え操作し、回転されると前記ロータリエンコーダを回転させて前記エンコーダスイッチを切り換え操作するエンコーダジョグと、前記ロータリエンコーダの外面に設けられたディテント用の凹部と、一端側が前記ベース側に取り付けられ、他端側が前記ロータリエンコーダの前記凹部を設けている外面と常にバネ接触して設けられ、前記ロータリエンコーダが所定量回転されて前記他端側が前記凹部と対応すると該他端側が該凹部内に落ち込み係合してクリック感を生成するための弾性部材とでなるディテント機構とを備えるようにして実現した。
【実施例１】
【００２３】
図１は本発明の第１の実施例に係る複合操作型スイッチの外観を示した斜視図であり、図２はその複合操作型スイッチの一部を破断して内部構造を示している斜視図、図３はその複合操作型スイッチを分解して上方より見た斜視図、図４はその複合操作型スイッチを分解して下方より見た斜視図である。
【００２４】
図１〜図４において、複合操作型スイッチ１は、ベース２と、このベース２上に絶縁シート４０を介して配置したフレキシブルプリント配線板３と、ベース２上に固定してなるハウジング４と、該ハウジング４に回転可能に取り付けたロータリエンコーダ５と、該ロータリエンコーダ５の中央に配置された内側固定リング４１及びキートップ６と、ロータリエンコーダ５と一体回転可能に連結結合されたエンコーダジョグ７等により構成されている。
【００２５】
ベース２は、合成樹脂性の材料で概略円板状に形成されており、その板面には絶縁シート４０及びフレキシブルプリント配線板３、内側固定リング４１を取り付けるときに使用される４つの位置決めピン８，８…が９０°間隔で形成されている。
【００２６】
ベース２とフレキシブルプリント配線板３との間に介在される絶縁シート４０は、円板状をなし、またベース２の位置決めピン８，８…に対応して４つの位置決め孔４２，４２…が形成されている。
【００２７】
フレキシブルプリント配線基板３は、ベース２上に搭載配置される円形部９と、該円形部９から導出されたケーブル部１０とよりなる。図３及び図４に示すように、円形部９の中央には、スイッチ要素としての中央固定接点１１が形成され、その中央固定接点１１を囲む外側円周上には、４個のスイッチ要素としての周辺固定接点１３，１３…が９０°間隔で形成されている。さらに、周辺固定接点１３，１３…を囲む外側円周上には、スイッチ要素としてのエンコーダ用固定接点１２が形成されている。また、円形部９には、ベース２の位置決めピン８，８…に対応して、位置決め孔１６，１６…が形成されている。
【００２８】
中央固定接点１１及び４個の周辺固定接点１３，１３…は、何れも同心状に形成された中心円形電極と環状電極とよりなり、エンコーダ用固定接点１２は、離間して同芯状に配列された複数の電極よりなる。なお、これら中央固定接点１１及び４個の周辺固定接点１３，１３，エンコーダ用固定接点１２から引き出されている引き出し線の詳細図示は省略している。
【００２９】
中央固定接点１１上には、クリック反転する反転接点を構成しているドーム状をしたスイッチ要素としての中央可動接点１４(以下、「ドーム状中央可動接点１４」という)が対向配置されて、中央スイッチが形成されている。周辺固定接点１３，１３…上には、同じくクリック反転する反転接点を構成しているドーム状をしたスイッチ要素としての周辺可動接点１５，１５…（以下、「ドーム状周辺可動接点１５，１５…」という）がそれぞれ対向配置されて、４個の周辺スイッチが構成される。
【００３０】
ハウジング４は、合成樹脂性の材料で作られ、図４に示すように、下面側に凹部４３を有し、かつ、中央が開口されたドーナッツ状をしたキャップ体として形成されている。
【００３１】
ロータリエンコーダ５は、合成樹脂性の材料で環状に作られている操作リング部材２５と、導電性の材料で作られている導電リング板２６等で構成されている。
【００３２】
操作リング部材２５は、リング状鍔板部２５ａと、該リング状鍔板部２５ａの上部内周縁に設けた、回転時にクリック感を出す複数のディテント凹部２７，２７…を外周面に設けてなる歯車状部２８とを一体に有している。その操作リング部材２５の下面に、上記導電リング板２６が固定して取り付けられている。この導電リング板２６の下面には、エンコーダ用摺動接点(図示せず)が電気的に直に取り付けられている。このエンコーダ用摺動接点は、フレキシブルプリント配線板３上のエンコーダ用固定接点１２と共にエンコーダスイッチを構成するものである。
【００３３】
内側固定リング４１は、合成樹脂性の材料で作られ、図４に示すように、下面側に凹部４４を有し、かつ中央が開口されたドーナッツ状をしたキャップ体として形成されている。そして、下部外周面には、その周面に４つの係合凹部４５，４５…が９０°間隔で設けられている鍔部４１ａを有している。係合凹部４５，４５…は、ベース２の位置決めピン８，８…と対応しており、取付時に、係合凹部４５，４５…内に位置決めピン８，８…が係合されて、ベース２に対して内側固定リング４１が回転できないように保持される。
【００３４】
ドーム状中央可動接点１４を押圧するキートップ６は、合成樹脂性の材料で短円柱状に形成されており、下部外周面には鍔部６ａを有し、図２及び図４に示すように、下面には、コイルバネ４６の一端を受ける環状の凹所４７と、該凹所４７で囲まれた中心部に下向きに突出した中央押圧突起１８が形成されている。
【００３５】
エンコーダジョグ７は、合成樹脂性の材料で中央に開口孔を有する概略環状をしたキャップとして形成されている。図４に示すように、下面側には、内周縁の位置から下方に突出された４つの係止片３７，３７…が９０°間隔で形成されている。なお、これら４つの係止片３７，３７…は、周辺スイッチにそれぞれ対向して設けられている。また、各係止片３７，３７の先端には、ロータリエンコーダ５における操作リング部材２５の係止部(図示せず)に係合して、エンコーダジョグ７とロータリエンコーダ５とを一体化するための係止孔３７ａが形成されている。この係止孔３７ａは、係止部に対して上下方向に動き得るように余裕が持たされており、この余裕によりエンコーダジョグ７が傾倒でき、さらに、その傾倒時に係止片３７，３７…の先端が、傾倒方向側における周辺スイッチのドーム状周辺可動接点１５を押下できるようになっている。さらに、係止片３７，３７…の外側周囲には、下面から下方に突出して環状部３８が形成されている。
【００３６】
次に、組立手順の一例を説明する。先ず、ベース２上に絶縁シート４０を配置する。続いて、絶縁シート４０上にフレキシブルプリント配線板３を配置し、さらに該フレキシブルプリント配線板３上にドーム状中央可動接点１４及びドーム状周辺可動接点１５，１５…をそれぞれ配置する。この配置では、位置決めピン８，８…は、絶縁シート４０の位置決め孔４２及びフレキシブルプリント配線板３の位置決め孔１６，１６…をそれぞれ貫通して、フレキシブルプリント配線板３の上方に突出する。
【００３７】
次いで、フレキシブルプリント配線板３上にロータリエンコーダ５を配置し、この上からハウジング４を被せるようにして、該ハウジング４をベース２に接着あるいはカシメにより固定する。これにより、フレキシブルプリント配線板３及びロータリエンコーダ５が、ベース２とハウジング４とにより保持される。
【００３８】
また、ロータリエンコーダ５が取り付けられるとき、ロータリエンコーダ５の歯車状部２８とハウジング４と間に、ディテントバネ３４が取り付けられる。このディテントバネ３４は、歯車状部２８と共にディテント機構を構成しているものであって、弾性を有する棒状線材を屈曲させて作られている。また、中央部分の突き出し先端部分３４ａが断面「く」の字状に形成されていて、その先端部分３４ａが、図２に示すように、左右方向から歯車状部２８の外周面に対して直角にバネ圧接し、ディテント凹部２７内に落ち込み係合可能な状態でハウジング４の凹部４３の内面に取り付けられる。そして、ロータリエンコーダ５が回転されるとき、該ロータリエンコーダ５が所定角度回転される毎に、先端部分３４ａがディテント凹部２７に落ち込み、操作者にクリック感が得られるようになる。
【００３９】
次に、係合凹部４５，４５…に位置決めピン８，８…を係合させた状態で、フレキシブルプリント配線板３上の中央に内側固定リング４１を配置する。次いで、キートップ６の下面側における凹所４７内にコイルバネ４６を介在させ、該キートップ６を内側固定リング４１の中央の孔を通ってフレキシブルプリント配線板３上に配置し、この後からさらにエンコーダジョグ７を取り付ける。エンコーダジョグ７の取り付けは、係止片３７をロータリエンコーダ５に係合させることによって取り付けられる。また、エンコーダジョグ７が取り付けられると、キートップ６は、該エンコーダジョグ７の内側に鍔部６ａが係合して抜け止められ、コイルバネ４６の圧縮反力を受け、キートップ６の上部がエンコーダジョグ７の中央の孔から僅かに突出した状態で保持される。これにより、組立が完了する。この状態では、ロータリエンコーダ５の摺動接点がエンコーダ用固定接点１２と対応すると共に、エンコーダジョグ７の係止片３７，３７…がドーム状周辺可動接点１５上に軽く当接された状態で配置され、キートップ６の中央押圧突起１８が中央可動接点１５上に対応した状態で配置される。図２は、その組立後の状態を示す。
【００４０】
次に、動作を説明する。この複合操作型スイッチ１では、エンコーダジョグ７を回転させると、ロータリエンコーダ５が、ベース２に対して回転不能に保持されている内側固定リング４１を支軸として、エンコーダジョグ７と一緒に該内側固定リング４１の外側で回転し、またこの回転操作でエンコーダスイッチが操作される。そして、ロータリエンコーダ５が回転操作されるとき、エンコーダジョグ７とキートップ６との間は滑り、内側固定リング４１内に配置されているキートップ６は回転しない。
【００４１】
続いて、エンコーダジョグ７を傾倒させると、傾倒側の係止片３７が、この係止片３７と対応しているドーム状周辺可動接点１５を押下して反転させ、この箇所の周辺スイッチを切り換える。また、押圧力を解くと、ドーム状周辺可動接点１５の戻り力で初期位置に戻される。
【００４２】
次に、キートップ６を押下すると、中央押圧突起１８がドーム状中央可動接点１４を押し、該ドーム状中央可動接点１４を反転させて中央スイッチを切り換える。また、押圧力を解くと、コイルバネ４６の戻り力で初期位置に戻される。
【００４３】
したがって、この実施例の構造による複合操作型スイッチ１によれば、多方向操作スイッチ(周辺スイッチ及び中央スイッチ)とロータリエンコーダ５のスイッチとが一体化されて、一つのスイッチ部品として構成されているので、取り扱い及び組み込み作業が簡単になる。また、部品の一部を各部で共用することができるので、従来のスイッチに比べて部品点数の低減が図れ、低コスト化が可能になるとともに、小型化も可能になる。
【００４４】
さらに、ロータリエンコーダ５とハウジング４との間、すなわちロータリエンコーダ５とベース２との間に、複数のディテント凹部２７，２７…が周面に形成されている歯車状部２８と弾性部材としてのディテントバネ３４とでなるディテント機構を設けているので、ロータリエンコーダが所定量回転されると、その位置でクリック感が操作者の指等に伝わり、所定量回転されたことが分かる。これにより、クリック感が得られた位置でロータリエンコーダ５の回転を止めると、ロータリエンコーダ５の回転を常に同じ位置で停止させ、かつ、その位置を保持しておくことができる。また、弾性部材としてのディテントバネ３４は弾性を有する細長い棒状の線材を屈曲させることによって形成しているので、弾性部材の小形化とともに、複合操作型スイッチ１の小型化も可能になる。
【００４５】
なお、ディテント機構の弾性部材としてのディテントバネは、例えば図５に示すように、弾性を有する細長い帯状板材を屈曲形成してなるディテントバネ４８を使用し、該ディテントバネ４８の「く」の字状に折り曲げた先端部分４８ａを複数のディテント凹部２７，２７…が周面に形成されている歯車状部２８の外周面に面でバネ当接させ、かつ、該ディテントバネ４８の両端部４８ｂ，４８ｃをハウジング４に固定した構造にしてもよいものである。
【００４６】
このように、細長い帯状板材から形成したディテントバネ４８を使用した場合には、回転時におけるトルクが小さく、クリック感も滑らかで、かつ、耐久性にも優れた構造が得られる。
【実施例２】
【００４７】
次に、本発明の第２の実施例における複合操作型スイッチについて図６（a）（b）、及び図７を参照して説明する。本第２の実施例における複合操作型スイッチ４９の構成は、図１〜図４に示した構成におけるディテント機構の構造に変更を加えたものであり、他の構成は図１〜図４と同じなので、同じ部材には同じ符号を付して重複した説明は省略する。
【００４８】
ここでのディテント機構は、ロータリエンコーダ５の鍔状部５ａと、ハウジング４側に配設した金属性の球体５０及び板バネ５１とで構成されている。ロータリエンコーダ５には、ハウジング４の凹部４３内で該ハウジング４の上面部４ａ内面と対向する鍔状部５ａの上面に、ディテント用の凹所である円形孔５２が等間隔で複数周方向に列設されている。
【００４９】
ハウジング４の上面部４ａには、ディテント用円形孔５２の内径よりも大きな内径を有して形成されている球体保持孔５３を、上下に貫通して設けている。また、ハウジング４の外面側には、板バネ位置決め用の切欠部５４と上面から下方向に細長く延びる板バネ固定用の取付孔５５が形成されている。
【００５０】
板バネ５１は、弾性を有する板材を断面逆Ｌ字状に屈曲させてなり、また一端(下端)側の一部は略Ｕ字状に折り返され、この一端側の部分が板バネ固定用孔５５内に圧入止着できるようになっている。
【００５１】
金属性の球体５０は、外径がディテント用円形孔５２の内径よりも大きく、かつ、球体保持孔５３の内径よりも小さく形成されている。したがって、ディテント用円形孔５２上に配置されたとき、球体５０の下部は、一部がディテント用円形孔５２に落ち込むものの、球体５０の全部がディテント用円形孔５２内に落ち込むことはない。また、球体５０に左右方向からの力を受けると、ロータリエンコーダ５側から、該球体５０が上方に持ち上げられる力を受け、ディテント用円形孔５２内から一時的に抜け出し、隣り合っているディテント用円形孔５２とディテント用円形孔５２との間の、ロータリエンコーダ５の鍔状部５ａ上を転動しながら移動できるようになっている。
【００５２】
そして、このディテント機構は、ハウジング４の凹部４３内にロータリエンコーダ５を取り付けた状態で、球体５０を、ハウジング４の上側から球体保持孔５３内に落とし込み、この後から、板バネ５１の折り返されている一端部を取付孔５５に圧入し、球体保持孔５３から一部が上方に突出している球体５０に、板バネ５１の他端部を上側から下側の鍔状部５ａに向かって押し付け、板バネ５１のバネ力を付与すると、ロータリエンコーダ５とハウジング４との間に介装することができる。図６は、このようにしてディテント機構を、ロータリエンコーダ５とハウジング４との間に介装した状態を示す。
【００５３】
したがって、この複合操作型スイッチでは、エンコーダジョブ７の回転操作でロータリエンコーダ５が回転すると、ディテント用円形孔５２と球体５０とが対応する毎に、球体５０がディテント用円形孔５２内に落ち込み、操作者にクリック感触が付与され、またその位置で回転が停止されると、ロータリエンコーダ５がその位置で保持される。これにより、操作性の向上と切り換え位置の信頼性が得られる。また、金属性の球体５０と板バネ５１とを使用しているので、ロータリエンコーダ５の回転時トルクの低い、滑らかな感触を得ることができるとともに、ロータリエンコーダ５に付与するバネ力の選択等も、板バネの種類を変えれば簡単に対応することができるので、荷重の管理も容易になる。
【００５４】
なお、この第２の実施例において、球体５０をロータリエンコーダ５に対して押し付ける手段として、板バネ５１に変えて、コイルスプリングを使用することも可能である。コイルスプリングを使用した場合には、耐久性も荷重管理も向上する。
【００５５】
また、本発明は、本発明の精神を逸脱しない限り種々の改変を為すことができ、そして、本発明が該改変されたものに及ぶことは当然である。
【図面の簡単な説明】
【００５６】
【図１】本発明の一実施例に係る複合操作型スイッチの外観を示した斜視図。
【図２】同上複合操作型スイッチの一部を破断して内部構造を示した斜視図。
【図３】同上複合操作型スイッチを分解して上方より見た斜視図。
【図４】同上複合操作型スイッチを分解して下方より見た斜視図。
【図５】同上複合操作型スイッチのディテント機構の一変形例を示した斜視図。
【図６】本発明の他の実施例に係る複合操作型スイッチの一部を破断して内部構造を    示し、（a）は全体斜視図、(ｂ)は要部拡大斜視図。
【図７】同上複合操作型スイッチを分解して上方より見た斜視図。
【符号の説明】
【００５７】
１      複合操作型スイッチ
２      ベース
３      フレキシブルプリント配線板
４      ハウジング
５      ロータリエンコーダ
６      キートップ
７      エンコーダジョグ
１１    中央固定接点
１２    エンコーダ用固定接点
１３     周辺固定接点
１４    ドーム状中央可動接点
１５    ドーム状周辺可動接点
１８    中央押圧突起
２１    周辺スイッチ押下部
２５    操作リング部材
２６    導電リング板
２７    ディテント凹部
２８    歯車状部
３４    ディテントバネ
３４ａ  先端部分
３８    環状部
４６    コイルバネ
４８    ディテントバネ
４９    複合操作型スイッチ
５０    球体
５１    板バネ
５２    ディテント用円形孔
【図１】
2007066637.tif 000003
【図２】
2007066637.tif 000004
【図３】
2007066637.tif 000005
【図４】
2007066637.tif 000006
【図５】
2007066637.tif 000007
【図６】
2007066637.tif 000008
【図７】
2007066637.tif 000009